(57)【要約】【課題】  何度でも遊技球の流通面の清掃を容易に行うことが可能な遊技機の提供を課題とする。【解決手段】  本発明においては遊技領域３１にて遊技球の流通面を構成する流通板８０を備えさせ、同流通板８０を遊技盤３０から離反する方向に引き出し可能とすることにより、同流通板８０の清掃を容易に行うことができる。特に、遊技盤３０に多数の釘３０ｈ，３０ｈ・・打ち込まれた遊技機においても、釘３０ｈ，３０ｈ・・の頭部３０ｈ１，３０ｈ１・・と同等の位置まで流通板８０を引き出すことにより、流通板８０から釘３０ｈ，３０ｈ・・が突出しないようにすることができる。従って、突出する釘３０ｈ，３０ｈ・・によって阻害されることなく流通板８０の清掃を行うことができる。【選択図】  図７
2006026014.tif 000002
【特許請求の範囲】
【請求項１】
遊技領域にて遊技球を流通させて遊技を行う遊技機において、
略平面状の遊技面を有する支持板と、
上記支持板の上記遊技面上に積層され、同支持板と対向する面と反対側の面上に遊技球が流通する上記遊技領域が形成されるとともに、同支持板から離反する方向に引き出し可能な略板状の流通板とを具備することを特徴とする遊技機。
【発明の詳細な説明】
【技術分野】
【０００１】
本発明は、遊技領域にて遊技球を流通させて遊技を行う遊技機に関する。
【背景技術】
【０００２】
従来、この種の遊技機として、遊技領域において遊技球の流通面を形成する遊技盤面を覆うように、除去可能な保護フィルムを貼り付けたものが知られている（例えば、特許文献１、参照。）。
かかる構成によれば、遊技球の流通に伴って遊技球から転写される汚れを保護フィルムに付着させることができる。すなわち、遊技盤自体に汚れが付着することを防止することができる。さらに、保護フィルムとともに付着した汚れも除去することができるため、容易に遊技領域の美観を維持することが可能であった。
【特許文献１】特開２００１−１７６２８号公報
【発明の開示】
【発明が解決しようとする課題】
【０００３】
上述した遊技機において、保護フィルムを貼り付けた枚数分しか保護フィルムを剥がすことができないため、清掃の回数が制限されるという課題があった。また、保護フィルムの貼り付け枚数を増加させると、積層された保護フィルムの厚みが増加したり弾性が変化したりすることから、遊技球の流通に悪影響が及ぼされるという問題があった。
本発明は、上記課題にかんがみてなされたもので、何度でも遊技球の流通面の清掃を容易に行うことが可能な遊技機の提供を目的とする。
【課題を解決するための手段】
【０００４】
上記目的を達成するため、請求項１にかかる発明では、遊技領域にて遊技球を流通させて遊技を行う遊技機において、
略平面状の遊技面を有する支持板と、上記支持板の上記遊技面上に積層され、同支持板と対向する面と反対側の面上に遊技球が流通する上記遊技領域が形成されるとともに、同支持板から離反する方向に引き出し可能な略板状の流通板とを具備する構成としてある。
【０００５】
上記のように構成した請求項１の発明において、略平面状の遊技面を有する支持板が備えられ、その遊技面上に略板状の流通板が積層される。そして、上記流通板における上記支持板と対向する面と反対の面上において遊技球が流通する。つまり、上記流通板における上記支持板と対向する面と反対の面上に上記遊技領域が形成される。上記流通板は上記支持板から離反する方向に引き出し可能とされる。かかる構成により、上記流通板を上記支持板から離反する方向に引き出して、手近な位置にて同流通板の清掃を行うことが可能となる。すなわち、上記支持板自体が遊技球の接触により汚染されることを防止するとともに、代わりに汚染される上記流通板の清掃を容易に行うことができる。上記流通板を上記支持板から離反する方向に引き出す態様は種々考えられる。例えば、上記流通板が上記支持板から離反する方向にスライドしても良いし、上記流通板が上記支持板から離反する方向に回動しても良い。
本発明は、上記の構成に限られるものではなく、以下の手段も含むものである。
【０００６】
手段１
手段１にかかる発明は、請求項１に記載した発明において、上記支持板は各種機構部材が備えられる遊技盤である構成としてある。
すなわち、各種機構部材が備えられる遊技盤上に上記遊技領域を形成するとともに、上記流通板が上記遊技領域における遊技球の流通面を構成する。これにより、上記遊技盤自体が遊技球の接触により汚染されることを防止するとともに、代わりに汚染される上記流通板の清掃を容易に行うことができる。なお、一般的な遊技機において上記遊技盤の背面側に上記各種機構部材として、基板ボックスやタンクレールや機構板等が備えられる。
【０００７】
手段２
手段２にかかる発明は、請求項１に記載した発明において、上記支持板は透明板であり、上記流通板が透明に形成されるとともに、
上記支持板および上記流通板の背面側には電気的に表示状態を変えることができる表示パネルが備えられる構成としてある。
【０００８】
すなわち、電気的に表示状態を変えることができる表示装置が備えられ、その前面側に上記支持板としての透明板と、透明な上記流通板が配設される。このような上記支持板と上記流通板によれば前面側から上記表示パネルの表示状態を透視することができる。そして、透明板としての上記支持板が遊技球の接触により汚染されることを防止するとともに、代わりに汚染される上記流通板の清掃を容易に行うことができる。上記表示装置は電気的に表示状態を変えることができれば良く、例えば液晶パネルやプラズマパネルやＥＬシートを利用したものを上記表示装置として適用することができる。むろん、設置箇所を確保することができればブラウン管を利用した表示装置等も適用することができる。
【０００９】
手段３
手段３にかかる発明は、請求項１または手段１のいずれかに記載した発明において、上記流通板は着色される構成としてある。
すなわち、上記流通板に着色したり、装飾模様等が印刷されたセルシートを貼り付けることにより、上記流通板を濃色に形成することができる。従って、上記流通板に付着した汚れを目立ちにくくすることができる。
【００１０】
手段４
手段４にかかる発明は、請求項１、または、手段１から手段３のいずれかに記載した発明において、上記支持板の上記遊技面に遊技球の流通経路を規制するための釘が打ち付けられるとともに、
上記流通板には同釘を貫通させる釘穴が形成される構成としてある。
【００１１】
すなわち、上記流通板に形成された釘穴に釘を貫通させつつ、上記支持板の上記遊技面に上記釘を打ち付けることができる。このようにすることにより、上記支持板に阻害されることなく上記釘を上記支持板に打ち付けることができ、遊技球の流通経路を規制することができる。また、上記釘が多数打ち込まれた場合、多くの上記釘が上記流通板を貫通して突出することとなる。そうすると、多数の上記釘に阻害されて上記流通板の清掃が困難となるが、同流通板は上記支持板から離反する方向に引き出すことができる。すなわち、上記支持板に打ち付けられた上記釘の突出量を、上記流通板が上記支持板から離反するにしたがって減少させることができる。さらに、上記釘が上記流通板から突出しなくなるまで、同流通板を同支持板から離反させることができる。この状態において、上記流通板の清掃が上記釘の突出により阻害されることはなくなるため、同流通板の清掃を容易に行うことができる。
【００１２】
手段５
手段５にかかる発明は、請求項１、または、手段１から手段４のいずれかに記載した発明において、上記流通板は上記支持板に対して平行にスライドさせて引き出すことができる構成としてある。
すなわち、本発明の一態様として、上記流通板を上記支持板に対して平行となる状態のままスライドさせて引き出すようにしても良い。
【００１３】
手段６
手段６にかかる発明は、手段５に記載した発明において、上記流通板を引き出したとき同流通板と上記釘の頭部とが同一面を形成する構成としてある。
すなわち、上記流通板と上記釘の頭部とが同一面を形成するとき、同釘は同流通板から突出しなくなる。従って、この状態において上記流通板の清掃を容易に行うことができる。
【００１４】
手段７
手段７にかかる発明は、手段６に記載した発明において、上記釘穴の開口部位には、上記流通板を引き出したとき上記釘の頭部が入り込む凹部が形成される構成としてある。
すなわち、上記流通板と上記釘の頭部によって同一面を形成することができる。従って、上記流通板の清掃を容易に行うことができる。
【００１５】
手段８
手段８にかかる発明は、請求項１、または、手段１から手段７のいずれかに記載した発明において、上記支持板には各種遊技部材が突設されるとともに、
上記流通板にはこれらを貫通させる穴が形成される構成としてある。
すなわち、上記支持板に各種遊技部材が突設しつつ、上記流通板を配設することが可能となる。上記各種遊技部材は、上記流通板に形成された上記穴を貫通し、同流通板から突出する。なお、上記各種遊技部材は、上記遊技領域に設置される各種機能部材であり、風車や入賞口や可変入賞口や案内板や装飾部材等が例として挙げられる。
【００１６】
手段９
手段９にかかる発明は、請求項１、または、手段１から手段８のいずれかに記載した発明において、上記流通板が引き出された状態で、同流通板を固定する固定手段が備えられる構成としてある。
すなわち、固定手段を備えることにより、上記流通板を引き出した状態で固定することができる。従って、上記流通板が引き出された状態から、不用意に上記支持板側に押し戻されるようなことを防止することができる。
【００１７】
手段１０
手段１０にかかる発明は、請求項１、または、手段１から手段９のいずれかに記載した発明において、上記流通板が引き出されるときに同流通板と上記支持板とが接触する部位には、両者の相対移動の方向を案内するガイド部が備えられる構成としてある。
すなわち、上記流通板の引き出し方向が上記ガイド部によって案内されるため、同流通板を適正な方向に引き出すことができる。
【００１８】
手段１１
手段１１にかかる発明は、手段１０に記載した発明において、上記ガイド部には摩擦低減機構が備えられる構成としてある。
すなわち、上記流通板が引き出されるときに同流通板と上記支持板とが接触する部位には摩擦抵抗が発生するが、これを摩擦低減機構により低減させることにより、同流通板をスムーズに引き出すことが可能となる。
【００１９】
手段１２
手段１２にかかる発明は、手段１１に記載した発明において、上記摩擦低減機構は、回転可能に枢支されたローラである構成としてある。
すなわち、ローラが転動することにより、上記流通板と上記支持板との摩擦抵抗を大幅に低減することができる。
【００２０】
手段１３
手段１３にかかる発明は、手段１２に記載した発明において、上記摩擦低減機構は、上記流通板と上記支持板とが摺接する部位に備えられた低摩擦部材である構成としてある。
すなわち、上記流通板と上記支持板とが摺接するとともに、この摺接部位に低摩擦部材が備えられる。このようにすることにより、摺接部位における摩擦抵抗を低減することができ、上記流通板をスムーズに引き出すことが可能となる。
【００２１】
手段１４
手段１４にかかる発明は、手段１３に記載した発明において、上記流通板が引き出されるとき、同流通板と上記支持板とが摺接する部位にて、同流通板が重力に抗して同支持板に支持される構成としてある。
すなわち、上記流通板と上記支持板とが摺接する部位にて、同流通板を重力に抗して同支持板に支持させることができる。このようにすることにより、上記流通板の作用する重力による荷重を上記流通板と上記支持板とが摺接する部位にて吸収し、同荷重が上記釘に作用することを防止することができる。従って、同荷重が上記釘に作用して、同釘の角度がずれることを防止することができる。
【００２２】
手段１５
手段１５にかかる発明は、請求項１、または、手段１から手段１４のいずれかに記載した発明において、上記流通板の曲げ剛性を向上させる剛性化機構が備えられる構成としてある。
すなわち、上記流通板の曲げ剛性を向上させることにより、同流通板を引き出す際に同流通板が撓むことを防止することができる。従って、上記流通板を安定して引き出すことが可能となる。
【００２３】
手段１６
手段１６にかかる発明は、手段１５に記載した発明において、上記剛性化機構は上記流通板の厚み方向に突設されたリブである構成としてある。
すなわち、上記流通板の厚み方向にリブを突設することにより、同流通板の曲げ剛性を高めることができる。
【００２４】
手段１７
手段１７にかかる発明は、請求項１、または、手段１から手段１６のいずれかに記載した発明において、上記流通板には同流通板を引き出す際に同流通板を掴むための取っ手が備えられる構成としてある。
すなわち、上記流通板が取っ手を備えることにより、同取っ手を掴んで同流通板を引き出すことができる。従って、上記流通板をスムーズに引き出すことが可能となる。
【００２５】
手段１８
手段１８にかかる発明は、請求項１、または、手段１から手段１７のいずれかに記載した発明において、上記流通板に遊技領域を区画するための遊技レールが取り付けられる構成としてある。
すなわち、上記遊技レールを上記流通板に取り付けることができる。上記遊技レールは、上記遊技領域を区画する性質上、上記流通板の全周にわたって取り付けられるとともに、同流通板から突出する壁面を構成する。従って、上記リブと同様に上記流通板の曲げ剛性を向上させることができるとともに、上記取っ手としても利用することができる。
【００２６】
手段１９
手段１９にかかる発明は、請求項１、または、手段１から手段１７のいずれかに記載した発明において、
上記支持板の上記遊技面上に遊技領域を区画する遊技レールが立設されるとともに、  上記流通板は上記遊技面上における上記遊技レールに囲まれた領域のみを覆うように積層される構成としてある。
すなわち、上記流通板が上記遊技面における上記遊技領域が形成される領域のみを覆うようにすることにより、同流通板の面積を最小限に抑えることができる。従って、上記流通板が引き出されるとき同流通板が撓みにくくなる。
【００２７】
手段２０
手段２０にかかる発明は、請求項１、または、手段１から手段１９のいずれかに記載した発明において、上記遊技機には回動可能に枢支されたガラス扉枠が備えられるとともに、
同ガラス扉枠が所定の位置に回動することにより上記遊技領域が閉じられるとき、同ガラス扉枠が上記流通板に当接することにより、同流通板が上記支持板側に押し付けられる構成としてある。
すなわち、上記遊技機には回動可能に枢支されたガラス扉枠が備えられ、同ガラス扉枠を所定の位置に回動させること上記遊技領域を閉じることができる。その際に、上記ガラス扉枠が上記流通板に当接することにより、同流通板が上記支持板側に押し付けられる。このようにすることにより、上記遊技領域が開いた状態においては上記流通板を引き出して清掃を行うこと容易とするとともに、同遊技領域が閉じた状態においては同流通板を上記支持板側に押し付けて固定することができる。
【００２８】
手段２１
手段２１にかかる発明は、手段４から手段２０のいずれかに記載した発明において、上記釘穴の径が遊技球の径よりも小さく形成される構成としてある。
すなわち、上記釘穴の径を遊技球の径よりも小さく形成することにより、同釘穴の中央に打ち込まれた上記釘と上記釘穴の壁面との間隔を遊技球の半径よりも小さくすることができる。これにより、遊技球が上記釘に衝突する際に上記釘穴の角部と遊技球とを接触させないようにすることができる。
【００２９】
手段２２
手段２２にかかる発明は、手段２０に記載した発明において、上記釘穴の径は、同釘穴の壁面と上記釘とを接触させることなく同釘の角度を調整可能な大きさとされる構成としてある。
すなわち、上記釘穴の径をある程度大きく形成しておくことにより、上記釘穴の壁面と上記釘とを接触させることなく、同釘の角度調整を行うことができる。例えば、上記釘の径が２ｍｍ、上記流通板の厚みが３ｍｍである場合に上記釘穴の径を８ｍｍ以上確保することにより、上記釘の角度を５度程度調整することができる。
【００３０】
手段２３
手段２３にかかる発明は、手段４から手段２２のいずれかに記載した発明において、単一の上記釘穴に対して複数の上記釘が貫通する構成としてある。
すなわち、単一の上記釘穴に対して複数の上記釘を貫通させてもよい。例えば上記釘穴の形状を長穴状にすることにより、多くの上記釘を貫通させることができる。このようにすることにより、上記釘穴の形成個数を減少させることができる。
【００３１】
手段２４
手段２４にかかる発明は、請求項１、または、手段１から手段２３のいずれかに記載した発明において、上記流通板は上記遊技機に対して着脱可能に取り付けられる構成としてある。
すなわち、上記流通板を上記遊技機から取り外して洗浄することができる。
【００３２】
手段２５
手段２５にかかる発明は、手段２４に記載した発明において、上記釘穴の径が上記釘の頭部の径よりも大きく形成される構成としてある。
すなわち、上記釘穴の径を上記釘の頭部の径よりも大きく形成することにより、上記流通板が上記釘の頭部よりも上記支持板から離反するように同流通板を引き出しても、同釘穴の周囲と同釘の頭部とが干渉しないようにすることができる。従って、上記釘と上記流通板との干渉が、同流通板を引き出すことにより同流通板を上記支持板から離脱させることを阻害しないようにすることができる。すなわち、上記流通板を引き出すことにより同流通板を上記支持板から離脱させることが可能となる。
【００３３】
手段２６
手段２６にかかる発明は、請求項１、または、手段１から手段２５のいずれかに記載の発明において、上記遊技機はパチロットであり、同パチロットにおいて遊技球の流通面を構成する上記流通板が備えられる構成としてある。
すなわち、パチロットに対しても本発明を同様に適用することができる。
なお、パチロットは、メダルの代わりに一定数のパチンコ球を使用して絵合わせを行うパチンコ機とスロットマシンの両方の特徴を備えた遊技機である。パチロットにおいても遊技球が流通されるため、本発明を適用することが可能である。
【発明の効果】
【００３４】
以上説明したように、請求項１にかかる発明によれば、何度でも遊技球の流通面の清掃を容易に行うことが可能な遊技機を提供することができる。
手段１にかかる発明によれば、遊技盤を流通板で覆って保護するとともに、流通板を清潔に保つことができる。
手段２にかかる発明によれば、表示装置を透視可能とする透明板を流通板で覆って保護するとともに、流通板を清潔に保つことができる。
手段３にかかる発明によれば、流通板の汚れを目立ちにくくすることができる。
手段４にかかる発明によれば、流通板を配設しつつ遊技球の流通経路を規制する釘を備えさせるとともに、流通板の清掃を容易に行うことができる。
【００３５】
手段５にかかる発明によれば、流通板を平行にスライドさせることにより、支持板と平行な状態で流通板を清掃することができる。
手段６にかかる発明によれば、流通板において突出物を存在させなくすることができるため、清掃を容易に行うことができる。
手段７にかかる発明によれば、釘の頭部が突出することを防止することができる。
【００３６】
手段８にかかる発明によれば、流通板を配設しつつ各種遊技部材を備えさせることができる。
手段９にかかる発明によれば、清掃中に流通板が不用意に動くことを防止することができる。
手段１０にかかる発明によれば、流通板を適正な方向に引き出すことができる。
手段１１にかかる発明によれば、流通板をスムーズに引き出すことができる。
【００３７】
手段１２にかかる発明によれば、流通板を極めてスムーズに引き出すことができる。
手段１３にかかる発明によれば、簡易な構成によって流通板に対する摩擦抵抗を低減することができる。
手段１４にかかる発明によれば、釘の調整が狂うことを防止することができる。
手段１５にかかる発明によれば、流通板を安定して引き出すことができる。
手段１６にかかる発明によれば、簡易な構成により流通板の曲げ剛性を高めることができる。
【００３８】
手段１７にかかる発明によれば、流通板を簡単に引き出すことができる。
手段１８にかかる発明によれば、遊技レールによって流通板の剛性を確保することができる。
手段１９にかかる発明によれば、流通板を撓みにくくすることができる。
手段２０にかかる発明によれば、遊技機の稼働時において確実に流通板を固定することができる。
手段２１にかかる発明によれば、釘穴が遊技球の流通に影響を与えないようにすることができる。
手段２２にかかる発明によれば、釘の角度調整を行うことができる。
手段２３にかかる発明によれば、流通板を簡易に形成することができる。
【００３９】
手段２４にかかる発明によれば、洗浄することによって、流通板をより清潔に保つことができる。
手段２５にかかる発明によれば、不正な基板ボックスに取り替えられることを防止することができる。
手段２６にかかる発明によれば、清掃が容易なパチロットを提供することができる。
【発明を実施するための最良の形態】
【００４０】
ここでは、下記の順序に従って本発明の実施形態について説明する。
（１）第一の実施形態：
（２）第二の実施形態：
（３）第三の実施形態：
（４）第四の実施形態：
（５）第五の実施形態：
（６）まとめ：
【００４１】
（１）第一の実施形態：
図１は、本発明にかかる遊技機を適用したパチンコ遊技機を正面から見て示した正面図である。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。この本体枠２０の上部には、矩形板状の遊技盤３０が取り付けられている。また、本体枠２０の下部には、遊技球の発射機構４０と、概略矩形形状に形成された樹脂製の流路板５０とが取り付けられている。さらに、当該流路板５０の前面側にて下皿７０が本体枠２０に取り付けられている。遊技盤３０の前面には、下端中央から右巻きに概略一回転する遊技レール３３が前方へ立設されており、この遊技レール３３に取り囲まれる略円形の領域が遊技領域３１となっている。
【００４２】
この遊技領域３１は、樹脂製のガラス扉枠６０を介して視認可能となっている。遊技領域３１には、風車３０ｃや入賞口３０ｄが備えられており、遊技球が入賞する入口の大きさが変化する可変入賞口３０ｅも設けられている。また、遊技球を案内するとともに遊技領域３１の装飾も行う装飾ユニット３０ｊも遊技レール３３の内側に沿うように取り付けられている。さらに、入賞しなかった遊技球をアウト球として回収するアウト球回収口３０ｆや、遊技の状況を表示する主表示器３４などが配設されている。入賞口３０ｄや可変入賞口３０ｅやアウト球回収口３０ｆにて捕捉された遊技球は遊技盤３０を前後に貫通する穴を利用して、遊技盤３０の背面側に案内され、同背面側にて計数処理等が行われる。
【００４３】
遊技盤３０の前面側には、樹脂製のガラス扉枠６０が本体枠２０の左端にて枢支されている。このガラス扉枠６０には、遊技領域３１を対面してガラス６１が嵌め込まれているとともに、ガラス６１の周囲を取り囲むように装飾ランプ６２および上皿６３が配設されている。また、ガラス扉枠６０の下方の本体枠２０には、発射機構４０の一部を構成する発射ハンドル４１が取り付けられている。この発射機構４０は、発射ハンドル４１の回転量に応じて遊技球を発射棹にて打ち出し、遊技盤３０に向けて放出する。放出された遊技球は、遊技盤３０の前面側に立設された遊技領域を一周取り囲む遊技レール３３の外側レール３６と、遊技領域の中央下端から左巻きに上記遊技レールに沿って遊技領域の上方まで立接された内側レール３５との間の発射経路３２を通り抜けて、遊技領域３１に投入される。
【００４４】
図２は、本体枠２０から取り外した状態の遊技盤３０を斜めから見て示している。同図において、遊技盤３０は、略矩形板状に形成されており、略平面状の前面側に略板状の流通板８０が積層されている。なお、遊技盤３０の前面側の平面を遊技面というものとする。遊技盤３０の略中央部に主表示器３４が組み込まれている。主表示器３４は、同主表示器３４を装飾するための装飾部３０ｇにより取り囲まれており、さらにその外側から遊技レール３３により取り囲まれている。主表示器３４と遊技レール３３とによって囲まれる円環状の領域は略平面状に形成されており、この部位の上において遊技球が流通する遊技領域３１が形成される。この遊技領域３１はパチンコ遊技機１の使用時において略鉛直に正立され、前面側からガラス６１により略閉鎖される。そして、略閉鎖された遊技領域３１において遊技レール３３から射出された遊技球が流下することが可能となっている。また、ガラス６１は透視可能であるため遊技者は遊技領域３１にて流通する遊技球の様子や主表示器３４の表示状態を目視しつつ遊技を楽しむことが可能となっている。
【００４５】
遊技領域３１には多数の釘３０ｈ，３０ｈ，３０ｈ，３０ｈ・・・が遊技盤３０の板面と略垂直となるように打ち込まれている。各釘３０ｈ，３０ｈ，３０ｈ，３０ｈ・・・に遊技球が衝突することにより、遊技球の流通経路を規制することが可能となっている。多数の釘３０ｈ，３０ｈ，３０ｈ，３０ｈ・・・を所定の設計位置に打ち込んでおくことにより、ある程度規則的な経路で遊技球を流通させることが可能となっている。従って、各釘３０ｈ，３０ｈ，３０ｈ，３０ｈ・・・の打ち込み角度を微調整することにより、遊技球の流通経路を微調整することができ、物理的に遊技球の入賞確率等を調整することが可能となっている。また、釘３０ｈ，３０ｈ，３０ｈ，３０ｈ・・・の角度調整は、ガラス扉枠６０を開放させた状態において行われる。
【００４６】
図３は、遊技盤３０に流通板８０を取り付ける様子を斜めから見て示している。同図において、流通板８０は例えばＡＢＳ樹脂といった合成樹脂により形成されており、厚みが３ｍｍ程度とされている。また、流通板８０の外形の大きさは遊技盤３０とほぼ同じとされており、流通板８０が遊技盤３０の遊技面のほぼ全体を覆うことが可能となっている。流通板８０の表面に、彩色を施したり、予め装飾模様が印刷されたセルシートを貼り付けることにより、流通板８０に装飾模様が付されている。この装飾模様はガラス６１を介して視認することができるため、パチンコ遊技機１の使用時において前面側から視認することができる。遊技盤３０の四隅には上方に開口する固定穴３０ａ，３０ａ，３０ａ，３０ａおよびガイド穴３０ｂ，３０ｂ，３０ｂ，３０ｂが穿設されている。一方、流通板８０の四隅には固定ネジ８１，８１，８１，８１が備えられており、固定ネジ８１，８１，８１，８１はそれぞれ固定穴３０ａ，３０ａ，３０ａ，３０ａと螺合することが可能となっている。
【００４７】
固定ネジ８１，８１，８１，８１は、それぞれ遊技盤３０に向かってネジ止めされることにより、それぞれ固定穴３０ａ，３０ａ，３０ａ，３０ａと螺合する。固定ネジ８１，８１，８１，８１が固定穴３０ａ，３０ａ，３０ａ，３０ａと螺合することにより、流通板８０を遊技盤３０側に拘束することができ、流通板８０を遊技盤３０に密着した状態で保持することが可能となっている。
【００４８】
流通板８０の四隅の裏側には遊技盤３０に向かって略垂直に突出する略円柱状のガイド柱８２，８２，８２，８２が形成されている。固定ネジ８１，８１，８１，８１がそれぞれ固定穴３０ａ，３０ａ，３０ａ，３０ａに螺合する際には、ガイド柱８２，８２，８２，８２はそれぞれガイド穴３０ｂ，３０ｂ，３０ｂ，３０ｂに挿入されるようになっている。遊技盤３０上は略平面状に形成されるものの、部分的に突出物が取り付けられており、凹凸を有している。具体的には、風車３０ｃや入賞口３０ｄや可変入賞口３０ｅや装飾ユニット３０ｊや装飾部３０ｇ等が遊技盤３０の遊技面から突出するように設けられている。
【００４９】
また、アウト球回収口３０ｆは遊技盤３０に穴を形成することにより設けられている。遊技盤３０における入賞口３０ｄや可変入賞口３０ｅや装飾ユニット３０ｊが取り付けられた部位には、これらによって捕捉された遊技球を遊技盤３０の背面側に案内するための図示しない貫通穴がそれぞれ形成されている。また、遊技盤３０の遊技面の所定位置には、多数の釘３０ｈ，３０ｈ，３０ｈ，３０ｈ・・・をスムーズに打ち込むための多数の釘打ち込み穴３０ｉ，３０ｉ，３０ｉ，３０ｉ，３０ｉ・・・が形成されており、多数の釘打ち込み穴３０ｉ，３０ｉ，３０ｉ，３０ｉ，３０ｉ・・・のそれぞれに対して多数の釘３０ｈ，３０ｈ，３０ｈ，３０ｈ・・・を打ち込むことが可能となっている。従って、各釘３０ｈ，３０ｈ，３０ｈ，３０ｈ・・・を適正な位置にスムーズに打ち込むことが可能となっている。
【００５０】
図４は、流通板８０を正面から見て示している。同図において、略板状の流通板８０の各部位には所定の形状の穴が形成されている。流通板８０の略中央部には、装飾部３０ｇよりもわずかに大きく形成された穴８０ｇが形成されている。同様に、風車３０ｃや入賞口３０ｄや可変入賞口３０ｅやアウト球回収口３０ｆや装飾ユニット３０ｊに対応する部位にも、それぞれの外形よりもやや穴径の大きい穴８０ｃ，８０ｄ，８０ｅ，８０ｆ，８０ｊが形成されている。さらに、多数形成された釘打ち込み穴３０ｉ，３０ｉ，３０ｉ，３０ｉ，３０ｉ・・・のそれぞれに対応する部位に釘穴８０ｉ，８０ｉ，８０ｉ，８０ｉ・・・が形成されている。
【００５１】
図５は、遊技レール３３を示している。同図において、円環状の遊技レール３３には互いに略平行に立設する外側レール３６と内側レール３５によって樋状に囲まれた発射経路３２が形成されており、外側レール３６と内側レール３５とが発射経路３２の床面３２ａによって連結されている。これにより、遊技レール３３を一体成型により形成することが可能となっている。外側レール３６の外側には、ネジ止め穴３７ａが複数形成された略円環板状の取り付け部３７が延設されている。そして、取り付け部３７におけるネジ止め穴３７ａを利用して、図３上段に示すように遊技レール３３を流通板８０に取り付けることが可能となっている。このとき、流通板８０の板面に、遊技レール３３における取り付け部３７および床面３２ａが密着する。
【００５２】
図３に示すようして流通板８０が遊技盤３０に密着するように取り付けた後に、多数の釘３０ｈ，３０ｈ，３０ｈ，３０ｈ・・・が釘打ち込み穴３０ｉ，３０ｉ，３０ｉ，３０ｉ，３０ｉ・・・に打ち込まれる。流通板８０を遊技盤３０に取り付けることにより、遊技盤３０が流通板８０によって覆われることとなるが、遊技盤３０における多数の釘打ち込み穴３０ｉ，３０ｉ，３０ｉ，３０ｉ，３０ｉ・・・のそれぞれに対応する部位に釘穴８０ｉ，８０ｉ，８０ｉ，８０ｉ・・・が形成されているため、各釘穴８０ｉ，８０ｉ，８０ｉ，８０ｉ，８０ｉ・・・を貫通して各釘３０ｈ，３０ｈ，３０ｈ，３０ｈ・・・を遊技盤３０における釘打ち込み穴３０ｉ，３０ｉ，３０ｉ，３０ｉ，３０ｉ・・・に打ち込むことが可能となっている。このようにして、多数の釘３０ｈ，３０ｈ，３０ｈ，３０ｈ・・・を打ち込むことにより、図２に示すような遊技領域３１が形成される。
【００５３】
図６は、遊技盤３０における釘３０ｈが打ち込まれた部位の断面を見て示している。同図において、各釘３０ｈ，３０ｈ，３０ｈの先端が遊技盤３０における釘打ち込み穴３０ｉ，３０ｉ，３０ｉに入り込んでおり、各釘３０ｈ，３０ｈ，３０ｈは遊技盤３０および流通板８０の遊技面と略垂直となっている。各釘３０ｈ，３０ｈ，３０ｈはそれぞれ流通板８０に形成された釘穴８０ｉ，８０ｉ，８０ｉを貫通することにより、遊技盤３０に先端を到達させている。釘穴８０ｉ，８０ｉ，８０ｉは各釘３０ｈ，３０ｈ，３０ｈの先端部分よりもわずかに広径とされており、その開口部付近には各釘３０ｈ，３０ｈ，３０ｈの頭部３０ｈ１，３０ｈ１，３０ｈ１の厚みとほぼ同等の深さ、かつ、頭部３０ｈ１，３０ｈ１，３０ｈ１よりもわずかに広径に形成された凹部８０ｉ１，８０ｉ１，８０ｉ１がそれぞれ形成されている。なお、同図において遊技盤３０に対して流通板８０が密着している。
【００５４】
このようにすることにより、図７のように流通板８０を引き出して遊技盤３０から離反させたときに、各釘３０ｈ，３０ｈ，３０ｈの頭部３０ｈ１，３０ｈ１，３０ｈ１を流通板８０の凹部８０ｉ１，８０ｉ１，８０ｉ１に入り込ませることができる。すなわち、各釘３０ｈ，３０ｈ，３０ｈの頭部３０ｈ１，３０ｈ１，３０ｈ１と流通板８０の平面部分とが同一面状となり、フラットな面を形成することができる。従って、クロスや雑巾等で容易に流通板８０の清掃を行うことができる。すなわち、流通板８０を引き出すことにより、各釘３０ｈ，３０ｈ，３０ｈに阻害されることなく流通板８０の清掃を行うことが可能となる。また、流通板８０の引き出し方向はパチンコ遊技機１における前面側であるため、手近にて清掃を行うことができる。
【００５５】
特に、無数の遊技球が流通板８０上を流通するため、遊技球に付いた汚れが流通板８０に転写、付着される。従って、流通板８０は汚れやすく、また遊技者の目に付きやすいことからも、清掃の頻度が高い。そのため、上述のように清掃が容易となれば、ホールの従業員等パチンコ遊技機１を管理する者の手間を大幅に軽減することができる。むろん、清掃の効果も向上することから、遊技者に気持ちよく遊技を楽しんでもらうことができる。なお、釘穴８０ｉ，８０ｉ，８０ｉは各釘３０ｈ，３０ｈ，３０ｈの先端部分よりもわずかに広径とされているものの、各釘３０ｈ，３０ｈ，３０ｈの角度調整を行うことができる程度に隙間が確保されている。なお、各釘３０ｈ，３０ｈ，３０ｈの打ち込み量は同等とされているため、全ての頭部３０ｈ１，３０ｈ１，３０ｈ１を各凹部８０ｉ１，８０ｉ１，８０ｉ１に入り込ませることにより、流通板８０と遊技盤３０とを平行とすることができる。
【００５６】
なお、釘穴８０ｉにおいて凹部８０ｉ１が形成された部位のみ釘穴８０ｉの径が他の部分よりも大きい径となっている。この大きい方の径を径Ｒと表記すると、径Ｒが下記の条件を満たすことが望ましい。
８＜Ｒ＜１１［ｍｍ］
【００５７】
径Ｒを１１ｍｍよりも小さく形成することにより、直径が１１ｍｍとなるように形成された遊技球が釘３０ｈに衝突する際に、釘穴８０ｉの角部と遊技球が接触することを防止することができる。従って、遊技球の流通に支障がないようにすることができる。なお、釘３０ｈは釘穴８０ｉの中央部を貫通するものとする。また、径Ｒを８ｍｍよりも大きく形成することにより、釘穴８０ｉの壁面と釘３０ｈとの間に所定量のクリアランスを確保することができる。そして、このクリアランスの範囲において釘３０ｈの角度調整を行うことができる。例えば釘３０ｈの径を２ｍｍとし流通板８０の厚みを３ｍｍとしたときに径Ｒを８ｍｍよりも大きくすることにより、最低限５度程度は釘３０ｈの角度調整を行うことができる。
【００５８】
図８は、図６に示すように遊技盤３０に対して流通板８０が密着する状態における固定ネジ８１と固定穴３０ａとガイド柱８２とガイド穴３０ｂの様子を断面から見て示している。同図において、固定ネジ８１が固定穴３０ａに対してネジ止め固定されている。固定ネジ８１の頭部が流通板８０を遊技盤３０側に押し付けることより、流通板８０を遊技盤３０に密着させることができる。なお、図示しないが流通板８０の四隅に備えられた全ての固定ネジ８１，８１，８１，８１において同様のネジ止めを行うことができる。従って、流通板８０を安定して遊技盤３０に密着させることができる。
【００５９】
一方、ガイド柱８２はガイド穴３０ｂに挿入されており、その先端がガイド穴３０ｂにおける遊技盤３０の裏側の開口まで到達している。ガイド穴３０ｂは木製の遊技盤３０に所定形状の穴明け加工をし、その内側にテフロン製の筒状部材３０ｂ１を嵌め込むことにより形成されている。筒状部材３０ｂ１の内径はガイド柱８２とほぼ同じ径とされており、筒状部材３０ｂ１における一端側には略箱状のバネ保持部３０ｂ２が形成されており、同バネ保持部３０ｂ２の内部には金属製の板バネ３０ｂ３が収容されている。板バネ３０ｂ３は、くの字状に屈曲されており、その屈曲部がガイド穴３０ｂの内側とバネ保持部３０ｂ２とを連通させる窓部３０ｂ４から同ガイド穴３０ｂの内側に臨むように収容されている。
【００６０】
なお、板バネ３０ｂ３は、その屈曲角を狭めようとする方向に復元力を有している。従って、図に示すように板バネ３０ｂ３が収容された状態では、常時、板バネ３０ｂ３はその屈曲部をガイド穴３０ｂの内側に向かって突出させように付勢されている。しかしながら、図８の状態ではガイド穴３０ｂの内部にはガイド穴３０ｂの内径とほぼ同径とされたガイド柱８２が挿し込まれているため、板バネ３０ｂ３の屈曲部がガイド穴３０ｂの内側に向かって突出することが妨げられる。
【００６１】
図９は、図７に示すように流通板８０が遊技盤３０から離反するように引き出された状態における固定穴３０ａとガイド柱８２とガイド穴３０ｂの様子を断面から見て示している。同図において、固定ネジ８１は取り外されており、流通板８０と遊技盤３０とが平行な状態を維持したまま、流通板８０が遊技盤３０から離反している。ガイド穴３０ｂに挿し込まれたガイド柱８２は、流通板８０が遊技盤３０から離反した分だけガイド穴３０ｂの外側に引き抜かれている。このとき、ガイド柱８２はガイド穴３０ｂの内壁を構成する筒状部材３０ｂ１と摺接するが、筒状部材３０ｂ１はテフロンで形成されているため、少ない摩擦抵抗でスムーズにガイド柱８２を摺動させることができる。ガイド柱８２が筒状部材３０ｂ１内部を隙間のない状態で摺動することにより、摺動方向を常に一定に保つことができる。すなわち、ガイド柱８２が直交する流通板８０を、遊技盤３０と平行にスライドさせることができる。なお、筒状部材３０ｂ１が本発明にいう摩擦低減機構を構成し、ガイド柱８２とガイド穴３０ｂとがガイド部を構成する。
【００６２】
また、釘３０ｈの頭部３０ｈ１が釘穴８０ｉの開口部位に形成された凹部８０ｉ１に入り込んで当接するまで、流通板８０は遊技盤３０から離反することができる。釘３０ｈの頭部３０ｈ１が凹部８０ｉ１に入り込むとき、ガイド柱８２の軸方向の一部に形成されたくびれ部８２ａとバネ保持部３０ｂ２の窓部３０ｂ４とが対面する。このとき、板バネ３０ｂ３は自身の屈曲部をくびれ部８２ａに侵入させつつ復元力を解放することができる。くびれ部８２ａに板バネ３０ｂ３の屈曲部が侵入した状態のガイド柱８２は、軸方向に摺動する際に板バネ３０ｂ３が干渉して同摺動の抵抗となる。
【００６３】
従って、流通板８０を前面側に引き出した状態を安定して維持することができる。すなわち、流通板８０の清掃を行う際には流通板８０を押し込むような荷重が及ぶことが考えられるが、それによって流通板８０が不用意に遊技盤３０側へスライドすることを防止することができる。なお、図示しないが流通板８０の四隅に備えられた全てのガイド柱８２，８２，８２，８２も同様な摺動をすることができる。従って、流通板８０を安定、かつ、遊技盤３０と平行に引き出すことができる。
【００６４】
また、ガイド柱８２，８２，８２，８２をガイド穴３０ｂ，３０ｂ，３０ｂ，３０ｂに挿入させておくことにより、ガイド柱８２，８２，８２，８２とガイド穴３０ｂ，３０ｂ，３０ｂ，３０ｂとの接触部位において流通板８０を重力に抗して保持することができる。これにより、各釘３０ｈ，３０ｈ，３０ｈ，３０ｈ・・・に対して流通板８０に作用する重力が及ぼされることを防止することができる。従って、各釘３０ｈ，３０ｈ，３０ｈ，３０ｈ・・・が流通板８０に作用する重力によって下方に押し曲げられることを防止することができ、微調整された各釘３０ｈ，３０ｈ，３０ｈ，３０ｈ・・・の角度を正確に保つことができる。
【００６５】
なお、各釘３０ｈ，３０ｈ，３０ｈ，３０ｈ・・・に対して流通板８０に作用する重力が及ぼされないように、各釘３０ｈ，３０ｈ，３０ｈ，３０ｈ・・・と各釘穴８０ｉ，８０ｉ，８０ｉ，８０ｉ・・・の内壁とのクリアランスは、ガイド柱８２，８２，８２，８２とガイド穴３０ｂ，３０ｂ，３０ｂ，３０ｂとの径の差異よりも大きく形成しておくと良い。
【００６６】
さらに、流通板８０は略板状であるため曲げに対する剛性が良好とは言えないが、流通板８０に遊技レール３３を取り付けることにより、上記の曲げ剛性を向上させている。すなわち、遊技レール３３は遊技領域３１を区画することから流通板８０の全周にわたって分布するとともに、外側レール３６および内側レール３５が流通板８０に直交する方向に立設するため、良好な曲げ剛性を実現することができる。従って、流通板８０を引き出したり、遊技盤３０側に押し込んだりする際に、流通板８０が撓むことを防止することができる。また、流通板８０から前面側に遊技レール３３が突出するため、清掃者は同遊技レール３３を掴んで流通板８０を引き出すことができる。つまり、遊技レール３３は本発明にいう剛性化機構および取っ手を構成する。
【００６７】
なお、各釘３０ｈ，３０ｈ，３０ｈ，３０ｈ・・・に対して必ずしも個別に各釘穴８０ｉ，８０ｉ，８０ｉ，８０ｉ・・・を設けなくてもよい。図１０は複数の釘３０ｈ，３０ｈ，３０ｈ，３０ｈ・・・に対して単一の釘穴８０ｉが形成される様子を示している。このように一の釘穴８０ｉに対して複数の釘３０ｈ，３０ｈ，３０ｈ，３０ｈ・・・を貫通させるようにしても良い。同図のように、釘穴８０ｉを長穴状に形成することにより、多くの釘３０ｈ，３０ｈ，３０ｈ，３０ｈ・・・を貫通させることができる。むろん、釘穴８０ｉを他の形状に形成しても良い。
【００６８】
ただし、一の釘穴８０ｉに対して貫通する複数の釘３０ｈ，３０ｈ，３０ｈ，３０ｈ・・・のうち隣接するもの同士の間隔は１１ｍｍよりも小さくすることが望ましい。間隔が１１ｍｍよりも小さい隣接釘３０ｈ，３０ｈの間は遊技球が通過することができないため、隣接釘３０ｈ，３０ｈの間の釘穴８０ｉの角部に遊技球が衝突しないようにすることができるからである。これにより、釘穴８０ｉが遊技球の流通に支障を来さないようにすることができる。また、長穴状の釘穴８０ｉの場合、釘穴８０ｉの壁面と釘３０ｈ，３０ｈ，３０ｈ，３０ｈ・・・とのクリアランスを遊技球の半径にあたる５．５ｍｍより小さくすることにより、遊技球が釘穴８０ｉの角部に衝突することが防止できる。釘穴８０ｉの壁面と釘３０ｈ，３０ｈ，３０ｈ，３０ｈ・・・とのクリアランスを５．５ｍｍより小さくするために、破線のように釘穴８０ｉにおける釘３０ｈ，３０ｈ，３０ｈ，３０ｈ・・・の間の部分の幅を狭めるような形状に釘穴８０ｉを形成しても良い。
【００６９】
（２）第二の実施形態：
図１１は、第二の実施形態にかかる遊技盤に流通板を取り付ける様子を斜めから見て示している。同図において、流通板１８０は略円形に形成されており、前実施形態と同様に穴１８０ｃ，１８０ｄ，１８０ｅ，１８０ｆ，１８０ｇ，１８０ｊ、および、多数の釘穴１８０ｉ，１８０ｉ，１８０ｉ，１８０ｉ・・・が形成されている。一方、遊技盤１３０上には、前実施形態と同様に風車１３０ｃや入賞口１３０ｄや可変入賞口１３０ｅや装飾ユニット１３０ｊや装飾部１３０ｇ等が遊技盤１３０の板面から突設されている。
【００７０】
しかし、本実施形態においては図５と同様に形成された遊技レール１３３が遊技盤１３０に取り付けられている。すなわち、本実施形態においては、予め遊技レール１３３が流通板１８０に取り付けられていない。また、遊技盤１３０には各釘穴１８０ｉ，１８０ｉ，１８０ｉ，１８０ｉ・・・に対応する多数の釘打ち込み穴１３０ｉ，１３０ｉ，１３０ｉ，１３０ｉ，１３０ｉ・・・が穿設されており、そのそれぞれに対して釘を打ち込むことが可能となっている。遊技盤１３０には軸方向が中央から外側に向かって放射状に配向する四本の断面矩形状の溝１３０ｋ，１３０ｋ，１３０ｋ，１３０ｋが形成されている。
【００７１】
図１２は、流通板１８０を裏側から見て示している。同図において、流通板１８０の裏側には軸方向が中央から外側に向かって放射状に配向する四本の断面矩形状のリブ１８０ｋ，１８０ｋ，１８０ｋ，１８０ｋが突設されている。リブ１８０ｋ，１８０ｋ，１８０ｋ，１８０ｋは、溝１３０ｋ，１３０ｋ，１３０ｋ，１３０ｋに対応する位置において、溝１３０ｋ，１３０ｋ，１３０ｋ，１３０ｋよりわずかに小さく形成されている。
【００７２】
図１３は、装飾部１３０ｇの断面を側方から見て示している。同図において、流通板１８０における装飾部１３０ｇに上方から接触する部位には、略円形のローラ１８０ｌが配設されている。ローラ１８０ｌは円心に回転軸１８０ｌ１を有し、同回転軸１８０ｌ１が流通板１８０に枢支されている。流通板１８０にはローラ１８０ｌを取り付けるための切り欠き１８０ｍが形成されており、ローラ１８０ｌが流通板１８０の切り欠き１８０ｍに下方から挿入して取り付けられる。回転軸１８０ｌ１の軸方向は流通板１８０と平行とされており、ローラ１８０ｌの回転により、流通板１８０を前後に進退させることが可能となっている。
【００７３】
すなわち、摩擦低減機構およびガイド部としてのローラ１８０ｌによって流通板１８０をスムーズに引き出すことが可能となっている。流通板１８０はリブ１８０ｋ，１８０ｋ，１８０ｋ，１８０ｋにより曲げ剛性が向上しているため、流通板１８０を引き出す際に流通板１８０が撓んでしまうこともない。さらに、流通板１８０がカバーする領域を遊技レール１３３の内側に限ることにより流通板１８０の面積を小さくしているため、流通板１８０が撓むことをより効果的に防止している。流通板１８０を遊技盤１３０側に押し込んだときには、リブ１８０ｋ，１８０ｋ，１８０ｋ，１８０ｋが溝１３０ｋ，１３０ｋ，１３０ｋ，１３０ｋに入り込むことができるため、遊技盤１３０と流通板１８０とを密着させることが可能である。なお、遊技盤１３０と流通板１８０とが密着した状態で両者を固定するには、ネジ止め等を行えばよい。ネジ止め等を行う場合には、ネジ等を装飾部材で目隠しをしたり、ネジ等を遊技領域における目立ちにくい位置に配置したりすることにより、良好な見栄えを確保することが望ましい。
【００７４】
（３）第三の実施形態：
図１４は、第三の実施形態にかかるパチンコ遊技機を分解した状態を斜めから見て示している。同図において、矩形枠状に形成された本体枠２２０の内側に液晶パネル２９０と透明板２３０と流通板２８０とを組み付けることが可能となっている。本体枠２２０にはガラス扉枠２６０が回動可能に枢支されており、液晶パネル２９０と透明板２３０と流通板２８０とが順に前面側に位置するように組み付けた状態で、ガラス扉枠２６０を閉じることが可能となっている。最終的にガラス扉枠２６０がパチンコ遊技機２と平行となる位置まで同ガラス扉枠２６０を回動させることにより、前面側に開放していた遊技領域を外部から閉鎖することができる。透明板２３０は透明な合成樹脂で形成されており、風車２３０ｃや入賞口２３０ｄや装飾ユニット２３０ｊが前面側に突設されている。また、透明板２３０には釘を打ち込むための多数の釘打ち込み穴２３０ｉ，２３０ｉ，２３０ｉ，２３０ｉ，２３０ｉ・・・が穿設されている。また、透明板２３０は、前面側に遊技面を有する支持板であり、その遊技面上に流通板２８０が積層されることとなる。
【００７５】
流通板２８０は第一の実施形態とほぼ同様の構成とされている。ただし、略中央部に配設される主表示器３４を装飾するための装飾部３０ｇを貫通させるための穴８０ｇに相当する穴は形成されていない。また、流通板２８０の四隅に配設されたガイド柱２８２が挿入されるガイド穴２３０ｂ，２３０ｂ，２３０ｂ，２３０ｂは、透明板２３０に形成されている。一方、ガラス扉枠２６０の四隅には、パチンコ遊技機２側に突出する固定突起２６０ａ，２６０ａ，２６０ａ，２６０ａが設けられている。固定突起２６０ａ，２６０ａ，２６０ａ，２６０ａはゴム等の弾性部材によって形成されている。
【００７６】
パチンコ遊技機２の使用状態において、透明板２３０と流通板２８０、および、ガラス扉枠２６０は透明に形成されているため、液晶パネル２９０の表示状態を前面側から視認することができる。液晶パネル２９０は本発明にいう表示装置であり、電気的に表示状態を変動させることができる。液晶パネル２９０は、ＲＧＢの各要素色について輝度階調の制御が可能な複数の画素を有している。これにより、任意の画像を表示することが可能となっている。入賞口２３０ｄや装飾ユニット２３０ｊ等にて捕捉された遊技球は、図１５に示すような経路２３０ｎによって液晶パネル２９０の外側まで案内される。そして、液晶パネル２９０の幅方向（上下方向）外側まで案内された遊技球は液晶パネル２９０の幅方向（上下方向）外側に形成された通路２９０ａを通過して、パチンコ遊技機２の背面側に誘導される。
【００７７】
上述したとおり遊技球が流通する面は無数の遊技球が接触するため、遊技球から転写される汚れによって汚染されやすく、また多数の釘の存在により清掃が困難である。第一の実施形態では、遊技球が流通する流通板８０自体に着色がされているため、この装飾の色を濃くすることにより、ある程度は汚れを目立ちにくくすることが可能であった。しかしながら、本実施形態のように遊技領域全体の装飾を液晶パネル２９０で行う場合には液晶パネル２９０を前面側から透視する必要があるため、遊技球が流通する面を透明に形成しなければならい。すなわち、汚れを遊技球の流通面に対する着色によって目立ちにくくすることが不可能である。また、遊技者の目によって捉えられる光の光源は液晶パネル２９０であるため、同光が透過する遊技球の流通面に付着した汚れは影となり非常に目立つこととなる。
【００７８】
これに対して、図１５において破線で示すように流通板２８０を透明板２３０から引き出すことにより、第一の実施形態と同様に流通板２８０を簡単に清掃することができる。従って、透明に形成された流通板２８０を清潔に保つことが可能となり、汚れに阻害されることなく液晶パネル２９０を透視することができる。また、図１５においては、ガラス扉枠２６０を回動させることによって遊技領域を閉鎖したときの、固定突起２６０ａの軌道を示している。同図において、ガラス扉枠２６０を回動させることによって固定突起２６０ａが前面側から流通板２８０を透明板２３０側に押し付けている。従って、遊技領域が閉鎖される状態において、流通板２８０が不用意にスライドすることを防止することができる。一方、清掃等を行うためにガラス扉枠２６０を回動させて遊技領域を開放すると、固定突起２６０ａによる流通板２８０の当接が解除されるため、流通板２８０を手前に引き出して清掃を行うことが可能となる。
【００７９】
（４）第四の実施形態：
図１６，１６は、第四の実施形態にかかる遊技盤の断面を見て示している。図１６において、流通板３８０に形成された釘穴３８０ｉ，３８０ｉ，３８０ｉの径は、各釘３３０ｈ，３３０ｈ，３３０ｈの頭部３３０ｈ１，３３０ｈ１，３３０ｈ１の径よりも大きく形成されている。その他の構成は、第一の実施形態と同様であるため説明は省略する。図１７に示すように、流通板３８０を遊技盤３３０から離反させるように引き出すことにより、各釘３３０ｈ，３３０ｈ，３３０ｈの頭部３３０ｈ１，３３０ｈ１，３３０ｈ１と釘穴３８０ｉ，３８０ｉ，３８０ｉとが同じ高さとなる。しかし、本実施形態においては釘穴３８０ｉ，３８０ｉ，３８０ｉの径が各釘３３０ｈ，３３０ｈ，３３０ｈの頭部３３０ｈ１，３３０ｈ１，３３０ｈ１に径よりも大きく形成されているため、さらに流通板３８０を遊技盤３３０から離反させるように引き出すことができる。
【００８０】
そして、最終的に図９に示すガイド柱３８２がガイド穴３３０ｂから抜け切ることにより、流通板３８０を遊技盤３３０から離脱させることができる。すなわち、各釘３３０ｈ，３３０ｈの頭部３３０ｈ１，３３０ｈ１，３３０ｈ１と流通板３８０における釘穴３８０ｉ，３８０ｉ，３８０ｉの周囲とを干渉させることなく、流通板３８０を取り外すことができる。取り外された流通板３８０はそのまま洗浄し再び取り付けても良いし、遊技球の衝突により流通板３８０が摩耗等している場合には新しい流通板３８０を取り付けても良い。いずれにしても、清潔な遊技領域を維持することができるため、気持ちよく遊技を行うことができる。
【００８１】
（５）第五の実施形態：
図１８は、第五の実施形態にかかる遊技機としてのパチロットを斜めから見て示している。パチロット５は、パチンコ機とスロットマシンとを融合させたものであり、その基本構成としては、複数の識別情報からなる識別情報列を動的表示した後に識別情報を確定表示する可変表示手段を備え、始動用操作手段（例えば操作レバー５４０）の操作に起因して識別情報の動的表示が開始され、停止用操作手段（例えばストップボタン５５０）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、上記識別情報の動的表示の開始に際しては所定数の球を必要とし、特別遊技状態の発生に際しては多くの球が払い出されるように構成されている。パチロット５においても遊技球が発射され遊技領域５３１を流下することから、同遊技領域に流通板を配設することが可能である。
【００８２】
（６）まとめ：
以上説明したように、本発明においては遊技領域３１にて遊技球の流通面を構成する流通板８０を備えさせ、同流通板８０を遊技盤３０から離反する方向に引き出し可能とすることにより、同流通板８０の清掃を容易に行うことができる。特に、遊技盤３０に多数の釘３０ｈ，３０ｈ・・打ち込まれた遊技機においても、釘３０ｈ，３０ｈ・・の頭部３０ｈ１，３０ｈ１・・と同等の位置まで流通板８０を引き出すことにより、流通板８０から釘３０ｈ，３０ｈ・・が突出しないようにすることができる。従って、突出する釘３０ｈ，３０ｈ・・によって阻害されることなく流通板８０の清掃を行うことができる。
【図面の簡単な説明】
【００８３】
【図１】第一の実施形態にかかるパチンコ遊技機の正面図である。
【図２】第一の実施形態にかかる遊技領域の斜視図である。
【図３】第一の実施形態にかかる遊技領域の分解斜視図である。
【図４】第一の実施形態にかかる流通板の正面図である。
【図５】第一の実施形態にかかる遊技レールの正面図である。
【図６】第一の実施形態にかかる遊技領域の断面図である。
【図７】第一の実施形態にかかる遊技領域の断面図である。
【図８】第一の実施形態にかかる遊技領域の断面図である。
【図９】第一の実施形態にかかる遊技領域の断面図である。
【図１０】第一の実施形態にかかる釘穴の正面図である。
【図１１】第二の実施形態にかかる遊技領域の分解斜視図である。
【図１２】第二の実施形態にかかる流通板の背面図である。
【図１３】第二の実施形態にかかる遊技領域の断面図である。
【図１４】第三の実施形態にかかるパチンコ遊技機の分解斜視図である。
【図１５】第三の実施形態にかかる遊技領域の断面図である。
【図１６】第四の実施形態にかかる遊技領域の断面図である。
【図１７】第四の実施形態にかかる遊技領域の断面図である。
【図１８】第五の実施形態にかかる遊技機としてのパチロットの斜視図である。
【符号の説明】
【００８４】
１，２…パチンコ遊技機
５…パチロット
１０…外枠
２０，２２０…本体枠
３０，１３０，２３０，３３０…遊技盤
３０ａ…固定穴
３０ｂ，２３０ｂ，３３０ｂ…ガイド穴
３０ｈ，３３０ｈ…釘
３０ｉ…釘打ち込み穴
３１，５３１…遊技領域
３３，１３３…遊技レール
３４…主表示器
６０，２６０…ガラス扉枠
６１…ガラス
８０，１８０，２８０，３８０…流通板
８０ｉ，１８０ｉ，３８０ｉ…釘穴
８０ｉ１…凹部
８２，２８２，３８２…ガイド柱
１８０ｋ……リブ
１８０ｌ…ローラ
２６０ａ…固定突起
２９０…液晶パネル
【図１】
2006026014.tif 000003
【図２】
2006026014.tif 000004
【図３】
2006026014.tif 000005
【図４】
2006026014.tif 000006
【図５】
2006026014.tif 000007
【図６】
2006026014.tif 000008
【図７】
2006026014.tif 000009
【図８】
2006026014.tif 000010
【図９】
2006026014.tif 000011
【図１０】
2006026014.tif 000012
【図１１】
2006026014.tif 000013
【図１２】
2006026014.tif 000014
【図１３】
2006026014.tif 000015
【図１４】
2006026014.tif 000016
【図１５】
2006026014.tif 000017
【図１６】
2006026014.tif 000018
【図１７】
2006026014.tif 000019
【図１８】
2006026014.tif 000020